(57)【要約】【課題】  操作者が煩雑な操作をすることなく、適切な運用コストで画像データのセキュリティ性を確保することができるようにする。【解決手段】  自機器の動作内容を規定する複数の設定項目（ＨＤＤ消去方式等）それぞれに対する設定情報を備える複数の動作モード（セキュリティレベル）の中から、１つの動作モードを選択する動作モード選択手段を有し、この動作モード選択手段によって選択された動作モードが備える設定情報に基づいて、自機器の動作内容を規定するようにする。【選択図】        図８
2005086653.tif 000002
【特許請求の範囲】
【請求項１】
自機器の動作内容を規定する複数の設定項目それぞれに対する設定情報を備える複数の動作モードの中から、１つの動作モードを選択する動作モード選択手段を有し、前記動作モード選択手段によって選択された動作モードが備える前記設定情報に基づいて、自機器の動作内容を規定することを特徴とする画像処理装置。
【発明の詳細な説明】
【技術分野】
【０００１】
本発明は、画像処理装置に関し、特に、デジタル複写機、ＦＡＸ、スキャナ、及びページプリンタに関する。
【背景技術】
【０００２】
原稿画像をデジタル化して扱う画像処理装置において、セキュリティに関する機能を持つものがある。例えば、読み取った原稿画像データをＨＤＤに格納保存する際にパスワードを設定して、許可された場合にのみ閲覧やコピーが可能になるように管理する機能を持つ画像処理装置がある。
【０００３】
セキュリティに関する機能には、前記の他にも画像データに対して不正使用を抑止するための電子透かし情報を付加する機能や、機密を保持するために画像データ自体を暗号化して保持する機能等、多くの種類のものが提案・実施されており、画像処理装置の中にはそれらの複数の機能を併せ持つものがある。
【０００４】
ここで、画像処理装置は、セキュリティに関する機能それぞれについて有効・無効を切り換え可能としている場合が多い。セキュリティ機能を実現するために時間や通信費が多く必要になったり、パスワード管理などの新たな手間が発生したりすることがその理由である。セキュリティの必要がない画像に対しては、セキュリティ機能を無効にして処理を行うことで、必要以上の無駄な時間や通信費、手間などを省くことができる。
【０００５】
さらに、複数のセキュリティ機能に対する有効・無効の設定をそれぞれ個別に設定することによって、様々なセキュリティに対する要求を満たすことが可能である。例えば、急ぎの処理ではない場合には、通信費はなるべくかけずに手間と時間をかけてセキュリティを確保するような組み合わせを選択することや、それとは逆に、急ぎの処理の場合には、通信費が多くかかるのは構わないが時間がなるべくかからない方式でセキュリティを確保するような組み合わせを選択することが可能である。
【発明の開示】
【発明が解決しようとする課題】
【０００６】
しかしながら、原稿画像の種類によって機密性が異なり、また、画像データの出力先によっても秘匿必要性の有無が異なるため、操作者は、原稿画像を変えたり出力先を変えたりする毎に、上述の複数のセキュリティ項目に対する有効・無効の設定をそれらの属性に合うように個別に設定する必要があり、非常に煩雑な手間がかかってしまうという問題がある。
【０００７】
その一方で上記の通り、セキュリティに関する処理は、通常の処理と比較してより多くのコスト、つまり多くの時間や費用や手間を必要とするために、常にすべてのセキュリティ項目を有効にした最高のセキュリティを保つ状態ですべての動作を行うと、不必要に高いセキュリティを保つために余分なコスト、つまり余分な時間や費用や手間をかけなければならなくなってしまう。また当然、常にすべてまたはいくつかのセキュリティ項目を常に無効にした状態での運用を行うことでも適切なセキュリティ状態と適切な運用コストとを維持することはできない。
【０００８】
本発明は上述した従来の技術の有するこのような問題点に鑑みてなされたものであり、原稿画像の持つ機密性や画像データの出力先による秘匿必要性の有無などに適合するようにセキュリティ項目を設定できるようにして、操作者が煩雑な操作をすることなく、適切な運用コストで画像データのセキュリティ性を確保することが可能な画像処理装置を提供することを目的とする。
【課題を解決するための手段】
【０００９】
上記の目的を達成するために本発明は、自機器の動作内容を規定する複数の設定項目それぞれに対する設定情報を備える複数の動作モードの中から、１つの動作モードを選択する動作モード選択手段を有し、前記動作モード選択手段によって選択された動作モードが備える前記設定情報に基づいて、自機器の動作内容を規定することを特徴とする画像処理装置、を提供する。
【発明の効果】
【００１０】
本発明によれば、動作モード選択手段によって選択された動作モードが備える設定情報に基づいて、自機器の動作内容を規定するようにしたので、操作者が煩雑な操作をすることなく、適切な運用コストで画像データのセキュリティ性を確保することができる。
【発明を実施するための最良の形態】
【００１１】
次に、添付図面を参照しながら本発明の画像処理装置の諸実施形態について説明する。
【００１２】
（第１の実施形態）
以下、本発明の画像処理装置における第１の実施形態を図面に基づき説明する。第１の実施形態における画像処理装置は、附記１（請求項１）〜附記４における画像処理装置の一形態を示したものである。
【００１３】
図１は、第１の実施形態における画像処理装置のシステム構成を示すブロック図である。図１において、１はリーダ部で、原稿の画像を読み取り、原稿画像に応じた画像データを後述する画像入出力制御部３へ出力する。２はプリンタ部で、画像入出力制御部３からの画像データに応じた画像を記録紙上に記録する。３は画像入出力制御部で、リーダ部１及びプリンタ部２に接続されており、ファクシミリ部４、ネットワーク・インターフェース部５、コンピュータ・インターフェース部６及びコア部１０等からなる。
【００１４】
ファクシミリ部４は、電話回線１１を介して受信した圧縮画像データを伸長して、該伸長された画像データをコア部１０へ転送し、また、このコア部１０から転送された画像データを圧縮して、該圧縮された画像データを電話回線１１を介して送信するものである。
【００１５】
ネットワーク・インターフェース部５は、ローカルエリアネットワークまたはワイドエリアネットワーク（ＬＡＮ／ＷＡＮ）１２とコア部１０との間に配設されるインターフェースである。
【００１６】
コンピュータ・インターフェース部６は、パーソナルコンピュータまたはワークステーション（ＰＣ／ＷＳ）１３とコア部１０との間に配設されるインターフェースである。
【００１７】
コア部１０は、リーダ部１、プリンタ部２、ファクシミリ部４、ネットワーク・インターフェース部５、コンピュータ・インターフェース部６の相互間におけるデータの流れを制御するものである。
【００１８】
図２は、リーダ部１及びプリンタ部２の構成を示す縦断面図である。同図において、リーダ部１の原稿給送装置１０１は、原稿を最終頁から順に１枚ずつプラテンガラス１０２上へ給送し、原稿の読み取り動作終了後、プラテンガラス１０２上の原稿を排出するものである。
【００１９】
原稿給送装置１０１により原稿がプラテンガラス１０２上に搬送されると、ランプ１０３を点灯し、スキャナユニット１０４の移動を開始させて、原稿を露光走査する。このときの原稿からの反射光は、ミラー１０５，１０６，１０７及びレンズ１０８によってＣＣＤイメージセンサ（以下、ＣＣＤと記述する）１０９へ導かれる。このように走査された原稿の画像は、ＣＣＤ１０９によって読み取られる。ＣＣＤ１０９から出力される画像データは、所定の処理が施された後、画像入出力制御部３のコア部１０へ転送される。
【００２０】
プリンタ部２のレーザードライバー２０１は、レーザー発光部２０１ａを駆動するものであり、コア部１０から出力された画像データに応じたレーザー光をレーザー発光部２０１ａに発光させる。このレーザー光は、感光ドラム２０２に照射され、該感光ドラム２０２にはレーザー光に応じた潜像が形成される。この感光ドラム２０２の潜像の部分には、現像器２０３によって現像剤が付着される。
【００２１】
そして、レーザー光の照射開始と同期したタイミングで、上段給紙カセット２０４及び下段給紙カセット２０５のいずれかから記録紙を給紙して転写部２０６へ搬送し、感光ドラム２０２に付着された現像剤を記録紙に転写する。現像剤が転写された記録紙は定着部２０７へ搬送され、該定着部２０７での熱と圧力により、現像剤が記録紙に定着される。定着部２０７を通過した記録紙は、排出ローラ２０８によって排出され、続いて、ソータ２１１では、排出された記録紙をそれぞれのビン２１２に収納して記録紙の仕分けを行う。
【００２２】
なお、ソータ２１１は、仕分けが設定されていない場合は、最上部のビン２１２に記録紙を収納する。また、両面記録が設定されている場合は、排出ローラ２０８のところまで記録紙を搬送した後、排出ローラ２０８の回転方向を逆転させ、フラッパ２０９によって再給紙搬走路２１０へ導く。また、多重記録が設定されている場合は、記録紙を排出ローラ２０８まで搬送しないようにフラッパ２０９によって再給紙搬走路２１０へ導く。再給紙搬走路２１０へ導かれた記録紙は、上述したタイミングで転写部２０６へ搬送される。
【００２３】
図３は、リーダ部１の内部構成を示すブロック図である。同図において、１０９はＣＣＤ、１１０はＡ／Ｄ変換・シェーディング補正部（以下、Ａ／Ｄ・ＳＨ部と記述する）、１１１は画像処理部、１１２はインターフェース（Ｉ／Ｆ）、１１３はＣＰＵ（中央処理装置）、１１４は操作部、１１５はメモリである。
【００２４】
図３において、ＣＣＤ１０９から出力された画像データは、Ａ／Ｄ・ＳＨ部１１０でアナログ／デジタル変換処理が行われると共に、シェーディング補正処理が行われる。Ａ／Ｄ・ＳＨ部１１０によって処理された画像データは、画像処理部１１１、インターフェース（Ｉ／Ｆ）１１２を介して画像入出力制御部３のコア部１０へ転送される。
【００２５】
ＣＰＵ（中央処理装置）１１３は操作部１１４で設定された設定内容に応じて画像処理部１１１及びインターフェース１１２を制御する。例えば、トリミング処理を行って複写を行う複写モードが操作部１１４で設定されている場合には、画像処理部１１１でトリミング処理を行わせて、インターフェース１１２から画像データと設定されたモードに応じた制御コマンドをコア部１０へ転送させる。また、ファクシミリ送信モードが操作部１１４で設定されている場合には、インターフェース１１２から画像データと設定されたモードに応じた制御コマンドをコア部１０へ転送させる。
【００２６】
このようなＣＰＵ１１３の制御プログラムは、メモリ１１５に格納されており、ＣＰＵ１１３は、メモリ１１５内の制御プログラムを参照しながら制御を行う。また、メモリ１１５は、ＣＰＵ１１３の作業領域としても使われる。
【００２７】
図４は、コア部１０の内部構成を示すブロック図である。同図において、１２１は制御ＬＳＩ、１２２はメモリ、１２３はハードディスクドライブ（ＨＤＤ）である。制御ＬＳＩ１２１は、ＣＰＵ、メモリコントローラ、ＨＤＤコントローラ、外部Ｉ／Ｆ等を内部に持つ高集積度ＬＳＩであり、メモリ１２２に格納されたプログラムによって画像データの流れを制御する。メモリ１２２は、制御ＬＳＩ１２１のプログラムを格納するとともに、制御ＬＳＩ１２１の作業領域として使用される。ＨＤＤ１２３は、制御ＬＳＩ１２１のプログラムを格納するとともに、画像データの一時記憶として使用される。
【００２８】
図４において、リーダ部１からの画像データは、制御ＬＳＩ１２１へ転送されるとともに、リーダ部１からの制御コマンドは、制御ＬＳＩ１２１へ転送される。そして、リーダ部１から制御ＬＳＩ１２１へ転送された画像データは、ＨＤＤ１２３に格納される。
【００２９】
電話回線１１からファクシミリ部４に対して入力された画像を表すコードデータは、ファクシミリ部４において画像データに展開される。該展開された画像データは、制御ＬＳＩ１２１へ転送され、ＨＤＤ１２３に格納される。また、ＬＡＮ／ＷＡＮ１２からネットワーク・インターフェース部５に対して入力された画像データは、ネットワーク・インターフェース部５を介して制御ＬＳＩ１２１へ転送され、ＨＤＤ１２３に格納される。また、ＰＣ／ＷＳ１３からコンピュータ・インターフェース部６に対して入力された画像を表わすコードデータは、コンピュータ・インターフェース部６において画像データに展開される。該展開された画像データは、制御ＬＳＩ１２１へ転送され、ＨＤＤ１２３に格納される。
【００３０】
リーダ部１、ファクシミリ部４、ネットワーク・インターフェース部５またはコンピュータ・インターフェース部６から画像データとともに転送された制御コマンドに応じてＨＤＤ１２３に一時格納された画像データは、制御ＬＳＩ１２１を介してファクシミリ部４、ネットワーク・インターフェース部５または画像処理ＬＳＩ１２４をさらに介してプリンタ部２へ転送される。
【００３１】
制御ＬＳＩ１２１は、メモリ１２２に記憶されている制御プログラム及びリーダ部１から転送された制御コマンド及び画像データとともに転送された制御コマンドに従って上述したような制御を行う。このように、コア部１０を中心に原稿画像の読み取り、画像のプリント、画像の送受信、ＰＣ／ＷＳ１３からのデータの入出力等の機能を複合させた処理を行うことが可能である。
【００３２】
図５は、制御ＬＳＩ１２１の内部構成を示すブロック図である。同図において、１７０はＣＰＵ、１７１はファクシミリＩ／Ｆ部、１７２はネットワークＩ／Ｆ部、１７３はメモリコントローラ部、１７４はＨＤＤコントローラ部、１７５はデータ入力部、１７６はデータ出力部、１７７は内部バスである。
【００３３】
制御ＬＳＩ１２１の動作を以下に説明する。
【００３４】
図５において、ファクシミリ部４からの画像データは、ファクシミリＩ／Ｆ部１７１に入力される。ファクシミリＩ／Ｆ部１７１は、ＣＰＵ１７０の制御により、受信した画像データをＨＤＤコントローラ１７４を介してＨＤＤ１２３へ格納する。ネットワーク・インターフェース部５からの画像データは、ネットワークＩ／Ｆ部１７２に入力される。ネットワークＩ／Ｆ部１７２は、ＣＰＵ１７０の制御により、受信した画像データをＨＤＤコントローラ１７４を介してＨＤＤ１２３へ格納する。
【００３５】
また、図５において、リーダ部１及びコンピュータ・インターフェース部６から入力された画像データは、データ入力部１７５に入力される。データ入力部１７５は、ＣＰＵ１７０の制御により、受信した画像データをＨＤＤコントローラ１７４を介してＨＤＤ１２３へ格納する。
【００３６】
さらに、図５において、ＣＰＵ１７０の制御によりＨＤＤ１２３から読み出された画像データは、メモリ１２２を作業領域に使用してデジタル署名付加処理を実行するために利用されたり、電子透かし情報の埋め込み処理をされたり、ＨＤＤコントローラ部１７４及び内部バス１７７を介してデータ出力部１７６、ファクシミリＩ／Ｆ部１７１、ネットワークＩ／Ｆ部１７２、またはＨＤＤコントローラ部１７４へ転送されたりする。
【００３７】
なお、ここでの処理や転送先は、ファクシミリＩ／Ｆ部１７１、ネットワークＩ／Ｆ部１７２及びデータ入力部１７５を介してＣＰＵ１７０が受信した画像データ処理要求に応じて決定され、ＣＰＵ１７０により内部バス１７７、ＨＤＤコントローラ部１７４、及びメモリコントローラ部１７３が制御されて要求された処理が実行される。このＣＰＵ１７０の動作は、メモリ１２２にあらかじめ格納されたプログラムに従うものである。
【００３８】
上述のＣＰＵ１７０が受信した画像データ処理要求は、複数の処理が指定される場合もあり、その場合にはＣＰＵ１７０はプログラムに従い、要求されたすべての処理を要求された順番に実行する。
【００３９】
なお、ファクシミリＩ／Ｆ部１７１、ネットワークＩ／Ｆ部１７２及びデータ入力部１７５を介してＣＰＵ１７０が受信する画像データ処理要求の中には、ボックスに保存された画像データを取り出して処理を行う要求や、ＣＰＵ１７０に対する設定変更処理を行う要求もある。いずれの場合にもＣＰＵ１７０はメモリ１２２に格納されたプログラムに従ってあらかじめ計画された通り適切に動作する。
【００４０】
そして、画像データがファクシミリＩ／Ｆ部１７１へ転送された場合には、ファクシミリＩ／Ｆ部１７１は、画像データをファクシミリ部４へ転送してファクシミリ送信を行う。画像データがネットワークＩ／Ｆ部１７２へ転送された場合には、ネットワークＩ／Ｆ部１７２は、画像データをネットワーク・インターフェース部５へ転送する。画像データがデータ出力部１７６へ転送された場合には、データ出力部１７６は、画像データをプリンタ部２へ転送する。画像データがＨＤＤコントローラ部１７４へ転送された場合には、ＨＤＤコントローラ部１７４は、画像データをＨＤＤ１２３内部のボックスと呼ばれる画像データを一時格納する領域に格納する。
【００４１】
次に、各手段が相当する本画像処理装置の部分について説明する。
【００４２】
まず、附記１（請求項１）に記載の「自機器の動作内容を規定する複数の設定項目」とは、セキュリティに関する設定項目で、本実施形態では図６に示すように５つの種類があり、それぞれの設定項目が２つの設定値の中から１つを選択可能となっている。この図６の内容はＨＤＤ１２３内部に格納されており、ＣＰＵ１７０は必要に応じて読み出して参照する。
【００４３】
ここで、それぞれの設定項目について以下に説明する。
【００４４】
「ＨＤＤ消去方式」とは、本画像処理装置が画像処理等のためにＨＤＤを画像データの一時記憶領域として利用した場合に、該処理が終了した後に読み取り不可能な状態まで消去するかどうかを表している。これは万が一、本画像処理装置のＨＤＤが不正に読み取られた場合に、その対処をすることが目的であるが、欠点として画像データの完全消去に時間がかかることが挙げられる。
【００４５】
「ＦＡＸ送信方式」とは、ファクシミリ送信を行う際に使う通信回線の種類を表している。ここで、電話回線が選択された場合には、本画像処理装置は相手先のＦＡＸ装置と１対１接続でデータ通信を行うためにデータ盗聴の危険が低くなる。欠点として通信料金が高いことが挙げられる。一方、インターネットが選択された場合には、本画像処理装置は相手先のインターネットＦＡＸ装置に対して公衆インターネット通信回線を介して接続するために、通信料金は安く済むがデータ盗聴やデータ改竄等の危険が高くなる。
【００４６】
「ボックスパスワード」とは、本画像処理装置内のボックスに画像データを格納するときに、パスワードを設定するか否かを表している。ここで、パスワードを設定した場合には、その画像データの読み出し参照を行うときにパスワードの入力が必要となり、不正な読み出しを防ぐ効果がある。欠点として読み出し参照の権限を持つ人や物に対してパスワードを周知させる手間と、読み出し参照時にパスワード入力の手間が必要なことが挙げられる。
【００４７】
「デジタル署名」とは、画像データにデジタル署名を付加するか否かを表している。ここで、デジタル署名を付加した場合には、データ改竄があればそのことを検知できるという効果がある。欠点としてあらかじめデジタル署名のためのデジタル証明書を取得しておく必要があること等、設備面でコストがかかることが挙げられる。
【００４８】
「電子透かし」とは、画像データ自体をその情報価値にほとんど変化がないような仕組みで改変して、本画像処理装置を特定するための情報を埋め込む電子透かし処理を行うか否かを表している。ここで、電子透かしは、画像データの不正な使用を防止する効果がある。欠点として処理に時間がかかることが挙げられる。
【００４９】
次に、附記１（請求項１）に記載の「複数の設定項目それぞれに対する設定情報を備える複数の動作モード」とは、本実施形態では図７に示すように５つのセキュリティレベルであり、また、図８に示すように各設定項目それぞれに対する設定情報を持っている。例えば、セキュリティレベル「セキュリティ優先」は、「ＨＤＤ消去方式」、「ＦＡＸ送信方式」、「ボックスパスワード」、「デジタル署名」、「電子透かし」という設定項目それぞれに対して、消去する，電話回線，設定する，付加する，付加する、という設定情報を持っている。この図８の内容はＨＤＤ１２３内部に格納されており、ＣＰＵ１７０は必要に応じて読み出して参照する。
【００５０】
次に、附記１（請求項１）に記載の「複数の動作モードの中から、１つの動作モードを選択する動作モード選択手段」とは、操作部１１４である。本実施形態における操作部１１４には、これから開始する処理に対するセキュリティレベルを設定する操作つまみが用意されており、操作者は「セキュリティ優先」、「セキュリティ及びコスト優先」、「セキュリティ及びスピード優先」、「コスト優先」または「スピード優先」の中から１つを選択することができ、ＣＰＵ１１３は、この選択されたセキュリティレベルの情報を前述の制御コマンドとともコア部１０へ転送させる構成となっている。
【００５１】
次に、附記１（請求項１）に記載の「前記動作モード選択手段によって選択された動作モードが備える前記設定情報に基づいて、機器の動作内容を規定する」とは、操作部１１４の操作で選択されたセキュリティレベルに対応した設定内容に従って、ＨＤＤ消去方式を始めとする５種類の設定項目の設定を行い、本画像処理装置の動作を行うことを意味している。
【００５２】
上述した構成を用いて、コア部１０の画像データにおける流れについて例を挙げて説明する。ここで、リーダ部１から読み込まれた原稿画像の画像データに対してＦＡＸ送信及びボックス格納する処理を行い、操作者が高いセキュリティのもとでの処理実行を希望している場合を例にする。
【００５３】
まず、操作者による操作部１１４の操作において、操作者は、セキュリティレベルを設定する。このとき操作者は、高いセキュリティという希望と、操作部１１４に表示された、図７で示した５種類のセキュリティレベルとを照らし合わせて「セキュリティ優先」というセキュリティレベルを選んで設定する。また、ＦＡＸ送信処理及びボックス格納処理の指定をし、ＦＡＸ送信先とボックス格納時のパスワードも指定し、そして原稿を原稿給送装置１０１に設置して、操作部１１４の処理開始ボタンを押したとする。
【００５４】
続いて、リーダ部１では、前述したように動作して原稿画像を読み取った画像データをコア部１０に対して送信する。ここで、リーダ部１は、制御コマンドとして、ＦＡＸ送信及びボックス格納処理を行うこと、ＦＡＸ送信の送り先、ボックス格納時のパスワード、処理をセキュリティ優先で行うこと、を画像データと同時に送信する。その後、コア部１０内の制御ＬＳＩ１２１は、画像データ及び制御コマンドを受信し、メモリ１２２に記憶されているプログラムに従って指示された動作を開始する。
【００５５】
まず、画像データがＨＤＤ１２３に一時記憶されると同時に、制御コマンドに含まれるセキュレティレベル「セキュリティ優先」が解釈されて、各セキュリティに関する動作項目の設定が行われる。つまり、制御ＬＳＩ１２１は、ＨＤＤ消去方式は「消去する」、ＦＡＸ送信方式は「電話回線」、ボックスパスワードは「設定する」、デジタル署名は「付加する」、電子透かしは「付加する」として以下のように処理を続ける。
【００５６】
制御ＬＳＩ１２１は、ＨＤＤ１２３に一時記憶されている画像データを読み出して、メモリ１２２を作業領域に利用しながら電子透かし情報の埋め込み処理及びデジタル署名の付加処理を行い、処理後の画像データを再度ＨＤＤ１２３に一時記憶する。
【００５７】
続いて、制御ＬＳＩ１２１は、ＨＤＤ１２３に一時記憶されている画像データを読み出して、ファクシミリ部４に対して送信する。そして、ファクシミリ部４は、電話回線を使用して指定された送信先に対して画像データを送信する。
【００５８】
また、制御ＬＳＩ１２１は、ＨＤＤ１２３に一時記憶されている画像データを読み出して、ＨＤＤ１２３内部のボックス領域に、改めてパスワード付きで格納する。そして、制御ＬＳＩ１２１は、ＨＤＤ１２３内部の一時記憶領域に残った画像データを読み出し不可能なように、ランダムなデータで上書き処理を行って消去する。
【００５９】
ここまで述べたように、多くのセキュリティに関する設定項目を持つ画像処理装置においても、リーダ部１から読み込まれた原稿画像の画像データをＦＡＸ送信及びボックス格納する処理を行う場合に、操作者は、セキュリティレベルという１つの項目を指定するだけですべてのセキュリティに関する項目を適切に設定して処理を実行することが可能である。
【００６０】
なお、本実施形態で挙げたリーダ部１からの読み込み動作と、ＦＡＸ送信及びボックス格納といった処理動作のみならず、他のすべての処理動作に対しても同様の効果が得られるのは明らかである。
【００６１】
（第２の実施形態）
以下、本発明の画像処理装置における第２の実施形態を図面に基づき説明する。第２の実施形態における画像処理装置は、附記５，附記６における画像処理装置の一形態を示したものである。また、第２の実施形態における画像処理装置の装置構成は、第１の実施形態における画像処理装置の装置構成と同一である。
【００６２】
次に、附記５，附記６における各手段が相当する本画像処理装置の部分について説明する。
【００６３】
まず、「自機器の動作内容を規定する複数の設定項目」及び「複数の設定項目それぞれに対する設定情報を備える複数の動作モード」は、第１の実施形態における画像処理装置と同様である。また、「複数の動作モードの中から、１つの動作モードを選択する動作モード選択手段」とは、制御ＬＳＩ１２１であり、「セキュリティ優先」、「セキュリティ及びコスト優先」、「セキュリティ及びスピード優先」、「コスト優先」または「スピード優先」の中から１つを選択する。
【００６４】
次に、附記５に記載の「画像データの出力先を複数登録記憶可能な出力先記憶手段」とは、ＨＤＤ１２３内部に格納されている出力先一覧のデータベースであり、画像データ出力先の名前とＦＡＸ番号、電子メールアドレス、ボックス番号、ファイルサーバＩＰアドレス等が関連付けられてあらかじめ記憶されている。ここには、プリンタ部２への出力も含め、すべての画像データ出力先が記憶されている。
【００６５】
次に、附記５に記載の「前記出力先記憶手段に登録されている各画像データの出力先に対して自機器の動作モードを関連付けて記憶する動作モード関連記憶手段」とは、ＨＤＤ１２３内部に格納されている前記出力先一覧のデータベースと同一のもので、記憶されているそれぞれの出力先の名前に関連付けてセキュリティレベルの情報が１つあらかじめ記憶されている。
【００６６】
次に、附記５に記載の「前記出力先記憶手段に登録されている複数の画像データ出力先のうち、少なくとも１つを選択することが可能な出力先選択手段」とは、操作部１１４である。本実施形態における操作部１１４には、出力先一覧の内容が表示され、操作者は、その中から画像データの出力先を１つまたは複数選ぶことが可能である。選択された出力先の情報は、ＣＰＵ１１３が前述の制御コマンドとともにコア部１０へ転送する構成となっている。
【００６７】
次に、附記５に記載の「前記出力先選択手段によって選択された少なくとも１つの画像データ出力先それぞれに対応する動作モードを、前記動作モード関連記憶手段から読み出す動作モード読み出し手段」とは、制御ＬＳＩ１２１である。制御ＬＳＩ１２１は、ＨＤＤ１２３内部に格納されている出力先一覧のデータベースにアクセスして選択された画像データの出力先に関連付けられたセキュリティレベルを読み出す。
【００６８】
次に、附記５に記載の「前記動作モード選択手段の選択動作を制御する選択動作制御手段」とは、前記動作モード選択手段と同様で制御ＬＳＩ１２１である。
【００６９】
そして、「各画像データ出力先に出力する前記画像データに対する自機器の動作内容が、各画像データ出力先に関連付けられた動作モードが備える設定情報に基づいて規定されるものとなるように前記動作モード選択手段が前記選択動作制御手段によって制御され、また、前記動作モード選択手段によって選択された動作モードが備える設定情報に基づいて、自機器の動作内容を規定する」とは、以下のことを意味している。
【００７０】
制御ＬＳＩ１２１は、各出力先に対する処理を同時ではなくて逐次的に行うが、動作モード選択もそれに同期して逐次的に行う。つまり、画像データ出力先の逐次処理に同期してその画像データ出力先に関連付けられたセキュリティレベルを選択して動作する制御を行っており、また、選択されたセキュリティレベルに対応した設定内容に従って、ＨＤＤ消去方式をはじめとする５種類の設定項目の設定を行い、本画像処理装置の動作を行うことを意味している。
【００７１】
上述した構成を用いて、コア部１０の画像データにおける流れについて例を挙げて説明する。ここで、リーダ部１から読み込まれた原稿画像の画像データを同時にセキュリティレベルの異なる２ヶ所の宛先に対してＦＡＸ送信する処理を例にする。
【００７２】
まず、操作者は、操作部１１４の操作でＦＡＸ送信処理の指定をする。操作部１１４を制御するＣＰＵ１１３は、ＦＡＸ送信処理の指定がされたという情報を制御コマンドとして制御ＬＳＩ１２１に対して送信する。そして制御ＬＳＩ１２１では、ＨＤＤ１２３内部に格納されている出力先一覧のデータベースに登録されているＦＡＸ送信先一覧を読み出して、その情報を制御コマンドとしてＣＰＵ１１３に送信する。
【００７３】
図９は、出力先一覧のデータベースに登録されているＦＡＸ送信先を示した図である。図９には、それぞれの画像データ送信先に関連付けて記憶されているセキュリティレベルも合わせて示してある。ＣＰＵ１１３は、図９に示されたＦＡＸ送信先一覧を図１０のように操作部１１４に表示する。
【００７４】
ここで、操作者がＦＡＸ送信先を２ヶ所指定したとする。このとき、１つは、送信元と同じ組織に属する別のＦＡＸ装置Ａであり、もう１つは、送信元と別の組織に属する別のＦＡＸ装置Ｂとする。
【００７５】
続いて、操作者は、原稿を原稿給送装置１０１に設置して操作部１１４の処理開始ボタンを押す。
【００７６】
リーダ部１は、前述のように動作して、原稿画像を読み取った画像データをコア部１０に対して送信する。ここでリーダ部１は、制御コマンドとして、ＦＡＸ送信を行うこととＦＡＸ送信の送り先情報とを画像データと同時に送信する。
【００７７】
コア部１０内の制御ＬＳＩ１２１は、画像データ及び制御コマンドを受信し、メモリ１２２に記憶されているプログラムに従って指示された動作を開始する。
【００７８】
まず、画像データがＨＤＤ１２３に一時記憶される。そして、選択されたＦＡＸ送信先それぞれに対して順番に処理を行う。
【００７９】
続いて、最初にＦＡＸ装置Ａに対する処理を行う。制御ＬＳＩ１２１では、まず、各セキュリティに関する動作項目の設定を行う。ＦＡＸ装置Ａに対するセキュリティレベルは、図９に示すように「コスト優先」であるので、図８にしたがってＨＤＤ消去方式は「消去しない」、ＦＡＸ送信方式は「インターネット」、ボックスパスワードは「設定しない」、デジタル署名は「付加しない」、電子透かしは「付加しない」として以下のように処理を続ける。
【００８０】
制御ＬＳＩ１２１は、ＨＤＤ１２３に一時記憶されている画像データを読み出して、メモリ１２２を作業領域に利用しながらインターネットＦＡＸに適合するように画像変換を行い、処理後の画像データを再度ＨＤＤ１２３に一時記憶する。
【００８１】
そして制御ＬＳＩ１２１は、ＨＤＤ１２３に一時記憶されている画像データを読み出してネットワーク・インターフェース部５に対して送信する。ネットワーク・インターフェース部５は、ＬＡＮ／ＷＡＮ１２を使用して指定された送信先であるＦＡＸ装置Ａに対して画像データを送信する。
【００８２】
続いて、ＦＡＸ装置Ｂに対する処理を行う。制御ＬＳＩ１２１は、まず、各セキュリティに関する動作項目の設定を行う。ＦＡＸ装置Ｂに対するセキュリティレベルは、図９に示すように「セキュリティ優先」であるので、図８に従ってＨＤＤ消去方式は「消去する」、ＦＡＸ送信方式は「電話回線」、ボックスパスワードは「設定する」、デジタル署名は「付加する」、電子透かしは「付加する」として以下のように処理を続ける。
【００８３】
制御ＬＳＩ１２１は、ＨＤＤ１２３に一時記憶されている画像データを読み出して、メモリ１２２を作業領域に利用しながら電子透かし情報の埋め込み処理及びデジタル署名の付加処理を行い、処理後の画像データを再度ＨＤＤ１２３に一時記憶する。
【００８４】
そして制御ＬＳＩ１２１は、ＨＤＤ１２３に一時記憶されている画像データを読み出してファクシミリ部４に対して送信する。ファクシミリ部４は電話回線を使用して指定された送信先に対して画像データを送信する。最後に、制御ＬＳＩ１２１は、ＨＤＤ１２３内部の一時記憶領域に残った画像データを読み出し不可能なようにランダムなデータで上書き処理をして消去する。
【００８５】
ここまで述べたように、多くのセキュリティに関する設定項目を持つ画像処理装置においても、リーダ部から読み込まれた原稿画像の画像データをＦＡＸ送信する処理を行う場合に、操作者は送信先を指定するだけですべてのセキュリティに関する項目をあらかじめ設定したある通りの適切な設定値に設定して処理を実行することが可能である。さらに、複数の送信先に対しても、それぞれ個別の適切なセキュリティ設定に設定して処理を実行することが可能である。
【００８６】
なお、本実施形態で挙げたリーダ部１からの読み込み動作と、ＦＡＸ送信といった処理動作のみならず、他のすべての処理動作に対しても同様の効果が得られるのは明らかである。
【００８７】
以下、本発明の諸態様を附記としてまとめて記載する。
【００８８】
［附記１］  自機器の動作内容を規定する複数の設定項目それぞれに対する設定情報を備える複数の動作モードの中から、１つの動作モードを選択する動作モード選択手段を有し、前記動作モード選択手段によって選択された動作モードが備える前記設定情報に基づいて、自機器の動作内容を規定することを特徴とする画像処理装置。
【００８９】
［附記２］  前記設定項目は、自機器で扱う情報の漏洩防止、改竄防止及び不正操作防止等のセキュリティに関する動作を規定することを特徴とする附記１に記載の画像処理装置。
【００９０】
［附記３］  操作者が自機器に対して処理の開始を指示する前に、前記動作モード選択手段により前記動作モードを選択することが可能であることを特徴とする附記１に記載の画像処理装置。
【００９１】
［附記４］  前記設定項目は、自機器で扱う情報の漏洩防止、改竄防止及び不正操作防止等のセキュリティに関する動作を規定することを特徴とする附記３に記載の画像処理装置。
【００９２】
［附記５］  さらに、画像データの出力先を複数登録記憶可能な出力先記憶手段と、
前記出力先記憶手段に登録されている各画像データの出力先に対して自機器の動作モードを関連付けて記憶する動作モード関連記憶手段と、
前記出力先記憶手段に登録されている複数の画像データ出力先のうち、少なくとも１つを選択することが可能な出力先選択手段と、
前記出力先選択手段によって選択された少なくとも１つの画像データ出力先それぞれに対応する動作モードを、前記動作モード関連記憶手段から読み出す動作モード読み出し手段と、
前記動作モード選択手段の選択動作を制御する選択動作制御手段とを有し、
各画像データ出力先に出力する前記画像データに対する自機器の動作内容が、各画像データ出力先に関連付けられた動作モードが備える設定情報に基づいて規定されるものとなるように前記動作モード選択手段が前記選択動作制御手段によって制御され、また、前記動作モード選択手段によって選択された動作モードが備える設定情報に基づいて、自機器の動作内容を規定することを特徴とする附記１に記載の画像処理装置。
【００９３】
［附記６］  前記設定項目は、自機器で扱う情報の漏洩防止、改竄防止及び不正操作防止等のセキュリティに関する動作を規定することを特徴とする附記５に記載の画像処理装置。
【００９４】
以上のように、本発明に係る附記１に記載の画像処理装置は、自機器の動作内容を規定する複数の設定項目と、前記複数の設定項目それぞれに対する設定情報を備える複数の動作モードと、前記複数の動作モードの中から、１つの動作モードを選択する動作モード選択手段とを有し、前記動作モード選択手段によって選択された動作モードが備える前記設定情報に基づいて、自機器の動作内容を規定することを特徴とする。
【００９５】
また、附記２に記載の画像処理装置は、附記１に記載の画像処理装置において、前記設定項目は、自機器で扱う情報の漏洩防止、改竄防止及び不正操作防止等のセキュリティに関する動作を規定することを特徴とする。
【００９６】
また、附記３に記載の画像処理装置は、附記１に記載の画像処理装置において、操作者が自機器に対して処理の開始を指示する前に、前記動作モード選択手段により前記動作モードを選択することが可能であることを特徴とする。
【００９７】
また、附記４に記載の画像処理装置は、附記３に記載の画像処理装置において、前記設定項目は、自機器で扱う情報の漏洩防止、改竄防止及び不正操作防止等のセキュリティに関する動作を規定することを特徴とする。
【００９８】
また、附記５に記載の画像処理装置は、附記１に記載の画像処理装置において、さらに、画像データの出力先を複数登録記憶可能な出力先記憶手段と、前記出力先記憶手段に登録されている各画像データの出力先に対して自機器の動作モードを関連付けて記憶する動作モード関連記憶手段と、前記出力先記憶手段に登録されている複数の画像データ出力先のうち、少なくとも１つを選択することが可能な出力先選択手段と、前記出力先選択手段によって選択された少なくとも１つの画像データ出力先それぞれに対応する動作モードを、前記動作モード関連記憶手段から読み出す動作モード読み出し手段と、前記動作モード選択手段の選択動作を制御する選択動作制御手段とを有し、各画像データ出力先に関連付けられた動作モードが備える設定情報に基づいて規定されるものとなるように前記動作モード選択手段が前記選択動作制御手段によって制御され、また、前記動作モード選択手段によって選択された動作モードが備える設定情報に基づいて、自機器の動作内容を規定することを特徴とする。
【００９９】
また、附記６に記載の画像処理装置は、附記５に記載の画像処理装置において、前記設定項目は、自機器で扱う情報の漏洩防止、改竄防止及び不正操作防止等のセキュリティに関する動作を規定することを特徴とする。
【０１００】
この構成により、附記１〜４までに記載の画像処理装置は、自機器が多くのセキュリティ項目を持つ場合にも、原稿画像の持つ機密性や画像データの出力先による秘匿必要性の有無などに適合するように設定を行うことができ、操作者が煩雑な操作をすることなく、１つの動作モードの設定操作のみで簡単に行うことが可能である。
【０１０１】
また、附記５，６に記載の画像処理装置は、自機器が多くのセキュリティ項目を持つ場合にも、原稿画像の持つ機密性や画像データの出力先による秘匿必要性の有無などに適合し、かつ、自機器における複数のセキュリティ項目に対する設定を画像データの出力先に連動させることにより、セキュリティ項目に対する設定操作を操作者に要求することなく、簡単に行うことが可能である。
【図面の簡単な説明】
【０１０２】
【図１】第１の実施形態における画像処理装置のシステム構成を示すブロック図である。
【図２】リーダ部及びプリンタ部の構成を示す縦断面図である。
【図３】リーダ部の内部構成を示すブロック図である。
【図４】コア部の内部構成を示すブロック図である。
【図５】制御ＬＳＩの内部構成を示すブロック図である。
【図６】本発明の第１の実施形態おける画像処理装置のセキュリティに関する項目一覧及びその設定可能値一覧を示した図である。
【図７】本発明の第１の実施形態おける画像処理装置のセキュリティレベル一覧を示した図である。
【図８】本発明の第１の実施形態おける画像処理装置の各セキュリティレベルに対して関連付けられたセキュリティ項目の設定値一覧を示した図である。
【図９】本発明の第２の実施形態おける画像処理装置の登録済みのＦＡＸ送信先一覧及び各ＦＡＸ送信先に関連付けられたセキュリティレベル一覧を示した図である。
【図１０】本発明の第２の実施形態おける画像処理装置のＦＡＸ送信先を選択するための表示画面を表示した操作部を示す図である。
【符号の説明】
【０１０３】
１  リーダ部
２  プリンタ部
３  画像入出力制御部
４  ファクシミリ部
５  ネットワーク・インターフェース部
６  コンピュータ・インターフェース部
１０  コア部
１１  電話回線
１２  ローカルエリアネットワークまたはワイドエリアネットワーク（ＬＡＮ／ＷＡＮ）
１３  パーソナルコンピュータまたはワークステーション（ＰＣ／ＷＳ）
１０１  原稿給送装置
１０２  プラテンガラス
１０３  ランプ
１０４  スキャナユニット
１０５〜１０７  ミラー
１０８  レンズ
１０９  ＣＣＤイメージセンサ
１１０  Ａ／Ｄ変換・シェーディング補正（Ａ／Ｄ・ＳＨ）部
１１１  画像処理部
１１２  インターフェース（Ｉ／Ｆ）
１１３  ＣＰＵ（中央処理装置）
１１４  操作部
１１５  メモリ
１２１  制御ＬＳＩ
１２２  メモリ
１２３  ハードディスクドライブ（ＨＤＤ）
１７０  ＣＰＵ
１７１  ファクシミリＩ／Ｆ部（ＦＡＸ  Ｉ／Ｆ部）
１７２  ネットワークＩ／Ｆ部
１７３  メモリコントローラ部
１７４  ハードディスク（ＨＤＤ）コントローラ部
１７５  データ入力部
１７６  データ出力部
１７７  内部バス
２０１  レーザードライバー
２０１ａ  レーザー発光部
２０２  感光ドラム
２０３  現像器
２０４  上段給紙カセット
２０５  下段給紙カセット
２０６  転写部
２０７  定着部
２０８  排出ローラ
２０９  フラッパ
２１０  再給紙搬走路
２１１  ソータ
２１２  ビン
【図１】
2005086653.tif 000003
【図２】
2005086653.tif 000004
【図３】
2005086653.tif 000005
【図４】
2005086653.tif 000006
【図５】
2005086653.tif 000007
【図６】
2005086653.tif 000008
【図７】
2005086653.tif 000009
【図８】
2005086653.tif 000010
【図９】
2005086653.tif 000011
【図１０】
2005086653.tif 000012